(57)【要約】【課題】薄型表示装置に搭載された複数の端子をより確実にシールドと接合させることができる技術を提供する。【解決手段】アングル天面部５２には、デジタル端子３０の天面３１を接触して押圧する端子押さえ部６０が４つ並んで形成されている。端子押さえ部６０は、下方向に所定量凹んだ絞り部６１が形成されている。端子押さえ部６０（絞り部６１）と端子用開口５５の上辺部分との間には所定距離の屈曲境界縁部５７が設けられている。この部分では、アングル天面部５２とデジタル端子３０とが、絞り部６１の凹み量に対応して僅かにだけ離間している。この領域に、４つのデジタル端子３０共通に、細長い導電性のガスケット７０が押しつぶされて配置される。【選択図】図６
2015090426.tif 000002
【特許請求の範囲】
【請求項１】
並んで配置された底面側の所定部分が基板に取り付けられた複数の端子と、前記端子の前面側及び上面側を覆うシールド板と、を備えた薄型表示装置であって、
前記シールド板は、
前記端子の前面に所定のコネクタを挿入可能に形成された開口と、
前記端子の上面を覆う位置に、前記端子側に突状に形成された当接部と、
前記複数の端子の前面側の前記開口のうち少なくともひとつにおいて、前記開口の下辺に前記端子の下側を支えるように形成された支持部と
を備え、
前記当接部が形成されていない領域において、前記端子の上面と前記シールド板との間に導電性の緩衝部材が配置されていることを特徴とする薄型表示装置。
【請求項２】
前記シールド板は、前記緩衝部材を配置するための固定部を備えることを特徴とする請求項１に記載の薄型表示装置。
【請求項３】
前記シールド板は、前記端子の上面前端を覆っていることを特徴とする請求項１に記載の薄型表示装置。
【発明の詳細な説明】
【技術分野】
【０００１】
本発明は、薄型表示装置に係り、例えば外部入出力用の端子を備えた薄型表示装置に関する。
【背景技術】
【０００２】
一般的に、図１１（ａ）〜（ｃ）で示すように、液晶テレビのメイン基板に取り付けられたＨＤＭＩ端子（登録商標；以下、「デジタル端子」と略す）２６０部分のシールド２２０では、端子挿入用の開口部２３０の近傍の天面部２２１又は天面部２２１の端部に曲げ加工（絞り加工）等を施して形成したコネクタ固定部２４０を、デジタル端子２６０の天面部２６２の比較的先端付近に押圧するように接合させることで、接地が図られている。
【０００３】
また、接地状態を良好にするためにガスケットを配置する技術もある（例えば特許文献１参照）。具体的には、板金したシールド板に一体に形成したツメ部構造でガスケットが固定されている。
【先行技術文献】
【特許文献】
【０００４】
【特許文献１】特開２００４−１７９４７７号公報
【発明の概要】
【発明が解決しようとする課題】
【０００５】
ところで、一般的なシールド形状は、シールド天面又は天面端部の曲げ加工（絞り加工）でシールド部材を当接させることが出来る位置にデジタル端子の先端部分が存在する構造であった。しかしながら、上記の曲げ加工のシールドとデジタル端子はいわゆるゼロ勘合で接する構造が採用されることが多い。その結果、加工のバラツキや、当接面積が小さかったり、輸送時やテレビ本体に衝撃がかかる等で、当接部の変形やズレが生じ、接地が確実にとれなくなることがあるという課題があり、改善が望まれていた。
【０００６】
特許文献１に開示の技術では、板金の爪部をガスケットに食い込ませることで固定を行うが、固定作業の効率が悪いという課題があり、別の技術が必要とされていた。また、デジタル端子が２つ程度であれば加工のバラツキ等を許容範囲に抑えることは公知の技術で比較的対応が可能であった。しかし、デジタル端子の数が増えるにしたがってシールドの変形等が大きくなり、対応が難しくなっており、別の技術が必要とされていた。
【０００７】
本発明は以上のような状況に鑑みなされたものであって、上記課題を解決する技術を提供することを目的とする。
【課題を解決するための手段】
【０００８】
本発明は、並んで配置された底面側の所定部分が基板に取り付けられた複数の端子と、前記端子の前面側及び上面側を覆うシールド板と、を備えた薄型表示装置であって、前記シールド板は、前記端子の前面に所定のコネクタを挿入可能に形成された開口と、前記端子の上面を覆う位置に、前記端子側に突状に形成された当接部と、前記複数の端子の前面側の前記開口のうち少なくともひとつにおいて、前記開口の下辺に前記端子の下側を支えるように形成された支持部とを備え、前記当接部が形成されていない領域において、前記端子の上面と前記シールド板との間に導電性の緩衝部材が配置されている。
前記シールド板は、前記緩衝部材を配置するための固定部を備えてもよい。
前記シールド板は、前記端子の上面前端を覆ってもよい。
【発明の効果】
【０００９】
本発明によれば、薄型表示装置に搭載された複数の端子をより確実にシールドと接合させることができる。
【図面の簡単な説明】
【００１０】
【図１】第１の実施形態に係る、液晶テレビを示す図である。
【図２】第１の実施形態に係る、端子用アングルが取り付けられた状態の回路基板を示す図である。
【図３】第１の実施形態に係る、図２（ａ）の端子とオスコネクタとの接続部分（領域Ａ１）を拡大して示す図である。
【図４】第１の実施形態に係る、端子用アングルの斜視図である。
【図５】第１の実施形態に係る、端子用アングルの一部を拡大した平面図である。
【図６】第１の実施形態に係る、端子とオスコネクタとの接続部分を拡大した断面斜視図である。
【図７】第１の実施形態に係る、支持ツメ部が形成されている端子用開口を拡大して示す斜視図である。
【図８】第２の実施形態に係る、端子用アングルの斜視図である。
【図９】第２の実施形態に係る、端子用アングルの一部を拡大した平面図である。
【図１０】第２の実施形態に係る、メス端子とオスコネクタとの接続部分を拡大した断面斜視図である。
【図１１】背景技術に係る、液晶テレビのシールド基板構造の一例を示す図である。
【発明を実施するための形態】
【００１１】
次に、本発明を実施するための形態（以下、単に「実施形態」という）を、図面を参照して具体的に説明する。以下の実施形態では、薄型表示装置の例として液晶テレビについて説明する。
＜第１の実施形態＞
【００１２】
図１は本実施形態に係る液晶テレビ１０を示す図であって、図１（ａ）は正面図、図１（ｂ）は背面図、図１（ｃ）はリアカバー１３を取り除いた状態の背面図である。図示のように、液晶テレビ１０では、表示パネル１１の前面に枠状のフロントカバー１２が取り付けられている。また、背面にはバックライトシャーシ１４を覆うようにリアカバー１３が取り付けられている。また、バックライトシャーシ１４には回路基板２０やシールド板である端子用アングル５０が取り付けられている。
【００１３】
回路基板２０には、図３や図６で詳述するようにデジタル端子（メス型端子）としてＨＤＭＩ端子（登録商標；以下、「デジタル端子３０」という）が複数並んで取り付けられている。なお、他の種類の端子も取り付けられているが、ここでは本実施形態に特徴的な構造であるデジタル端子３０について説明し、他の種類の端子については説明を省略する。
【００１４】
図２は端子用アングル５０が取り付けられた状態の回路基板２０を示しており、図２（ａ）は回路基板２０の斜視図であり、図２（ｂ）は回路基板２０の平面図である。なお、図２（ａ）では、図３や図６で後述するデジタル端子３０に接続されるオスコネクタ９０を含めて示している。また、図３は、図２（ａ）のデジタル端子３０とオスコネクタ９０との接続部分（領域Ａ１）を示している。なお、図３ではオスコネクタ９０は省いている。
【００１５】
図４は端子用アングル５０の斜視図であり、図４（ａ）は奥側から見た斜視図であり、図４（ｂ）は端子用開口５５側から見た斜視図である。さらに図５は、端子用アングル５０の一部を拡大して示した平面図である。図６はデジタル端子３０とオスコネクタ９０との接続部分を拡大して示した断面斜視図である。図７は支持ツメ部５６が形成されている端子用開口５５を拡大して示した斜視図である。
【００１６】
端子用アングル５０はシールドとして機能するものであって、上記のデジタル端子３０やＵＳＢ端子等を備えた回路基板２０及びバックライトシャーシ１４に取り付けられる。端子用アングル５０は、スチール板やアルミニウム板を所定の曲げ加工等することによって所望の形状（階段状）に形成されている。ここでは、端子用アングル５０は、アングル底面部５１と、アングル天面部５２と、アングル側面部５３とを備える。
【００１７】
より具体的には、アングル天面部５２から下側に垂直折れ曲がったアングル側面部５３と、アングル側面部５３から前方に垂直折れ曲がったアングル底面部５１を有している。他のネジ固定構造等については説明を省略する。
【００１８】
端子用アングル５０のアングル側面部５３には、４つのデジタル端子３０の為の４つの端子用開口５５や他の端子用の開口が設けられている。端子用アングル５０は、デジタル端子３０の前端の被挿入部分の形状に対応した四角形状になっている。なお、端子用開口５５の上辺は、アングル天面部５２とアングル側面部５３の境界部分に位置している。
【００１９】
アングル天面部５２には、デジタル端子３０の天面３１（図６参照）を接触して押圧する端子押さえ部６０が４つ並んで形成されている。これは端子用開口５５に対応する位置に形成されている。つまり、端子用開口５５の上辺より、端子挿入方向（内側方向）に進んだ所定の位置に形成されている。
【００２０】
端子押さえ部６０は、下方向（デジタル端子３０や回路基板２０の方向）に所定量凹んだ絞り部６１と、その隣に形成された開口部６２とを備える。絞り部６１は、いわゆる絞り加工で形成されているが、これに限る趣旨ではなく。端子用アングル５０とデジタル端子３０とが適切に当接する構造であればよく、単純な曲げ加工等でもよい。
【００２１】
端子押さえ部６０（絞り部６１）と端子用開口５５の上辺部分との間には所定距離の屈曲境界縁部５７が設けられている。この部分では、アングル天面部５２とデジタル端子３０とが、絞り部６１の凹み量に対応して僅かに（例えば、０．６〜０．７ｍｍ）だけ離間している。この領域に、４つのデジタル端子３０共通に、細長い導電性の緩衝部材であるガスケット７０が押しつぶされて配置される。ガスケット７０は、潰れる前の状態で例えば幅３ｍｍ厚さ１ｍｍ程度で、デジタル端子３０の数に応じて長さが設定される。この構造によって、デジタル端子３０と端子用アングル５０の接続状態を良好に確保している。また、端子用開口５５の上辺近傍、つまり、デジタル端子３０とアングル天面部５２の境界部分の前端の隙間からクリップ等の異物が内部に混入してしまうことを防止できる。
【００２２】
なお、ガスケット７０の位置決め及び固定のために、端子用アングル５０のアングル天面部５２にはツメ部５８、５９がアングル天面部５２から下側垂直方向に形成されている。具体的には、図５に示すように、図示で一番左側の端子押さえ部６０の外側（左側）で若干前端側（端子用開口５５側）に位置する部分にツメ部５８が形成されている。同様に、一番右側の端子押さえ部６０の外側（右側）で若干前端側（端子用開口５５側）に位置する部分にツメ部５８が形成されている。また、左から一番目及び２番目の端子押さえ部６０の間にツメ部５９が形成されている。同様に、また、右から一番目及び２番目の端子押さえ部６０の間にツメ部５９が形成されている。このようなツメ部５８、５９、端子押さえ部６０（絞り部６１）、デジタル端子３０及びアングル側面部５３でガスケット７０が囲まれる。なお、ツメ部５８、５９において下側に延出する量は、デジタル端子３０の天面３１に干渉しない量に設定されている。
【００２３】
また、端子用開口５５の一部には、図５では左から３番目の端子用開口５５には、その下辺部分に支持ツメ部５６が形成されている。具体的には、図７に示すように、端子用開口５５の内側方向に折れるようにして形成されたツメ形状の支持ツメ部５６が形成されている。端子用アングル５０が回路基板２０に取り付けられたときに、支持ツメ部５６の上面にデジタル端子３０の下面前端部分が当接する。
【００２４】
この構造によって、所定のデジタル端子３０を端子用アングル５０で上下から挟むようになっている。その結果、端子用アングル５０全体が歪んでしまうことが防止できる。特に、デジタル端子３０の数が多くなった場合、どうしても歪みやすくなる。さらに、近年の液晶テレビ１０の薄型化及び軽量化等が進んだ結果、各種部品等の薄型化及び軽量化が進み、微妙な条件の変化等によっても歪みが発生しやすい傾向が強くなっている。理想状態では問題なくとも、現実には何ら対策を施さない場合、デジタル端子３０と端子用アングル５０（端子押さえ部６０）との当接状態が悪化する可能性がある。しかし、本実施形態では、当接状態が悪化することはない。別の観点では、高い加工精度を必要としなくなることから、当該追加構成によってコストが高くなることを防止でき、場合によってはコスト削減に繋がる。なお、支持ツメ部５６は全ての端子用開口５５に設けられてもよい。
【００２５】
＜第２の実施形態＞
図８は本実施形態に係る端子用アングル１５０の斜視図である。図９は端子用アングル１５０の一部拡大した平面図である。図１０はデジタル端子１３０とオスコネクタ９０との接続部分を拡大して示した断面斜視図である。個々では、第１の実施形態と異なる構造・機能について主に説明し、同様の構成・機能等については適宜説明を省略する。
【００２６】
第１の実施形態と異なり、本実施形態では、端子押さえ部１６０が端子用開口１５５の上辺部分に形成されている。つまり、ちょうどアングル天面部１５２とアングル側面部１５３の境界部分に形成されている。その結果、回路基板１２０に並んで複数配置されたデジタル端子１３０の天面前端部分を端子押さえ部１６０が押さえるように当接している。なお、端子押さえ部１６０は第１の実施形態の絞り部６１に対応する構造のみであり開口部６２に対応する構造は設けていない。また、端子押さえ部１６０は、デジタル端子１３０の天面１３１を露出させないように構成されている。
【００２７】
また、端子押さえ部１６０より直ぐ後側には、デジタル端子１３０の天面１３１とアングル天面部１５２との間に細長いガスケット１７０が押しつぶされて配置されている。また、第１の実施形態同様に、ガスケット１７０の位置決めのためにツメ部１５８、１５９が形成されている。ここでは、ツメ部１５８、１５９及び端子押さえ部１６０でガスケット１７０の側面を覆い、デジタル端子１３０の天面１３１とアングル天面部１５２でガスケット１７０の天面及び底面を挟んでいる。
【００２８】
以上の構成によると、第１の実施形態と同様の効果が得られる。また、ガスケット１７０を露出させない構造となっており、当該部分のデザイン性を重視するようなユーザに対しても製品の訴求ができる。また、本実施形態でも、所定の端子用開口１５５には支持ツメ部１５６が設けられており、アングル天面部１５２と支持ツメ部１５６でデジタル端子１３０を挟む構造が採用されている。これによって、端子用アングル１５０が歪んでしまうことを防止できる。
【００２９】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３０】
１０  液晶テレビ
１１  表示パネル
１２  フロントカバー
１３  リアカバー
１４  バックライトシャーシ
２０、１２０  回路基板
３０、１３０  デジタル端子
３１、１３１  天面
５０、１５０  端子用アングル
５１  アングル底面部
５２、１５２  アングル天面部
５３、１５３  アングル側面部
５５、１５５  端子用開口
５６、１５６  支持ツメ部
５７  屈曲境界縁部
５８、１５８  ツメ部
５９、１５９  ツメ部
６０、１６０  端子押さえ部（当接部）
６１  絞り部（当接部）
６２  開口部
７０、１７０  ガスケット（緩衝部材）
９０  オスコネクタ
【図１】
2015090426.tif 000003
【図２】
2015090426.tif 000004
【図３】
2015090426.tif 000005
【図４】
2015090426.tif 000006
【図５】
2015090426.tif 000007
【図６】
2015090426.tif 000008
【図７】
2015090426.tif 000009
【図８】
2015090426.tif 000010
【図９】
2015090426.tif 000011
【図１０】
2015090426.tif 000012
【図１１】
2015090426.tif 000013